【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
ウェブ材料に転写される予定の画像を運ぶエンドレス画像担持ベルトと、
その周囲を前記画像担持ベルトが移動する第１のロールと、
その周囲を前記画像担持ベルトが移動する第２のロールと、
バイアス転写ロールと前記第１のロールの間のニップ位置にあるニップにおいて、前記ウェブ材料が前記画像担持ベルトと接触するように前記ウェブ材料を支持する前記バイアス転写ロールであって、前記ニップが前記画像担持ベルトから前記ウェブ材料に前記画像を転写するために前記画像が電場にさらされる転写領域である、バイアス転写ロールと、
前記ニップの上流で前記ウェブ材料を支持するニップ前ロールと、
前記画像担持ベルト内の継ぎ目が前記ニップ位置を通過する間、前記バイアス転写ロールと前記ニップ前ロールとを前記画像担持ベルトから離れる方向に移動させるロール引き込み機構と、を含み、
前記画像担持ベルトは前記ニップに入る前に前記第１のロールを凹形に包み込み、
前記ウェブ材料が前記ニップに入る前に、かつ前記画像が前記電場にさらされる前に、前記画像担持ベルトと前記第１のロールとの一部分を前記ウェブ材料が包み込むように前記第１のロールと前記バイアス転写ロールとを互いに対して位置付け、
前記ロール引き込み機構が、前記バイアス転写ロールと前記ニップ前ロールとを前記画像担持ベルトから離れる方向に移動させる場合、デタック・アイドラ・ロールが、前記ウェブ材料がデタックコロトロンと接触するのを防止する、
画像転写システム。
【請求項２】
前記画像担持ベルトが、光伝導性の画像担持ベルトである、請求項１に記載のシステム。
【請求項３】
前記第１のロールが、前記画像担持ベルトの駆動ロールである、請求項２に記載のシステム。
【請求項４】
前記第１のロールが、前記画像担持ベルトの駆動ロールである、請求項１に記載のシステム。
【請求項５】
前記ロール引き込み機構が、前記画像担持ベルトの回転により駆動されるカムであるとともに、前記画像担持ベルトの前記回転と同期する前記カムである、請求項１に記載のシステム。
【請求項６】
エンドレス画像担持ベルトからウェブ材料に画像を転写する方法であって、
第１のロールと第２のロールとの周囲で前記画像担持ベルトを回転させることと、
バイアス転写ロールと前記第１のロールの間のニップ位置にあるニップにおいて前記ウェブ材料が前記画像担持ベルトと接触するようにニップ前ロールと前記バイアス転写ロールとを経由して前記ウェブ材料を誘導することであって、前記ニップは前記画像担持ベルトから前記ウェブ材料に前記画像を転写するために前記画像が電場にさらされる転写領域である、誘導することと、
前記ウェブ材料が前記ニップに入る前に、かつ前記画像が前記電場にさらされる前に、前記ウェブ材料が前記画像担持ベルトと前記第１のロールとの一部分を包み込むように前記第１のロールと前記バイアス転写ロールとを互いに対して位置付けることと、
前記画像担持ベルト内の継ぎ目が前記ニップ位置を通過する間、ロール引き込み機構を用いて前記バイアス転写ロールと前記ニップ前ロールとを前記画像担持ベルトから離れる方向に移動させることと、を含み、
前記画像担持ベルトは前記ニップに入る前に前記第１のロールの周囲に凹形に巻き付いており、
前記ロール引き込み機構が、前記バイアス転写ロールと前記ニップ前ロールとを前記画像担持ベルトから離れる方向に移動させる場合、前記ウェブ材料がデタックコロトロンと接触するのを防止するために、デタック・アイドラ・ロールにより前記ウェブ材料を支持する、
方法。
【請求項７】
前記画像担持ベルトが、光伝導性の画像担持ベルトである、請求項６に記載の方法。
【請求項８】
前記第１のロールが、前記画像担持ベルトの駆動ロールである、請求項７に記載の方法。
【請求項９】
前記ロール引き込み機構が、前記画像担持ベルトの回転により駆動されるカムであるとともに、前記画像担持ベルトの前記回転と同期する前記カムである、請求項６に記載の方法。
【手続補正２】
【補正対象書類名】明細書
【補正対象項目名】００２５
【補正方法】変更
【補正の内容】
【００２５】
本明細書で使用する場合、用語「画像システム」は、目的に応じて印刷物出力機能を実行する任意の装置を含む。このような装置は、例えば、デジタルコピー機、製本機械、多機能機、およびその種の他のものを含むことができる。画像システムは、トナーおよびインク（例えば、液体インク、ゲルインク、熱硬化性インク、および放射線硬化性インクなど）およびその種の他のものを含むさまざまな種類の固体および液体のマーキング材料を使用できる。印刷装置は、マーキング材料を処理して、媒体上に画像を形成するのにさまざまな熱的条件、圧力条件、および他の条件を使用できる。なお、以下に本発明の構成の一例を付記として示す。
（付記１）
ウェブ材料に転写される予定の画像を運ぶエンドレス画像担持ベルトと、
その周囲を前記画像担持ベルトが移動する第１のロールと、
その周囲を前記画像担持ベルトが移動する第２のロールと、
バイアス転写ロールと前記第１のロールの間のニップ位置にあるニップにおいて、前記ウェブ材料が前記画像担持ベルトと接触するように前記ウェブ材料を支持する前記バイアス転写ロールであって、前記ニップが前記画像担持ベルトから前記ウェブ材料に前記画像を転写するために前記画像が電場にさらされる転写領域である、バイアス転写ロールと、
前記ニップの上流で前記ウェブ材料を支持するニップ前ロールと、
前記画像担持ベルト内の継ぎ目が前記ニップ位置を通過する間、前記バイアス転写ロールと前記ニップ前ロールとを前記画像担持ベルトから離れる方向に移動させるロール引き込み機構と、を含み、
前記画像担持ベルトは前記ニップに入る前に前記第１のロールを凹形に包み込み、
前記ウェブ材料が前記ニップに入る前に、かつ前記画像が前記電場にさらされる前に、前記画像担持ベルトと前記第１のロールとの一部分を前記ウェブ材料が包み込むように前記第１のロールと前記バイアス転写ロールとを互いに対して位置付ける、
画像転写システム。
（付記２）
前記画像担持ベルトが、光伝導性の画像担持ベルトである、付記１に記載のシステム。
（付記３）
前記第１のロールが、前記画像担持ベルトの駆動ロールである、付記２に記載のシステム。
（付記４）
前記第１のロールが、前記画像担持ベルトの駆動ロールである、付記１に記載のシステム。
（付記５）
前記ロール引き込み機構が、前記画像担持ベルトの回転により駆動されるカムであるとともに、前記画像担持ベルトの前記回転と同期する前記カムである、付記１に記載のシステム。
（付記６）
エンドレス画像担持ベルトからウェブ材料に画像を転写する方法であって、
第１のロールと第２のロールとの周囲で前記画像担持ベルトを回転させることと、
バイアス転写ロールと前記第１のロールの間のニップ位置にあるニップにおいて前記ウェブ材料が前記画像担持ベルトと接触するようにニップ前ロールと前記バイアス転写ロールとを経由して前記ウェブ材料を誘導することであって、前記ニップは前記画像担持ベルトから前記ウェブ材料に前記画像を転写するために前記画像が電場にさらされる転写領域である、誘導することと、
前記ウェブ材料が前記ニップに入る前に、かつ前記画像が前記電場にさらされる前に、前記ウェブ材料が前記画像担持ベルトと前記第１のロールとの一部分を包み込むように前記第１のロールと前記バイアス転写ロールとを互いに対して位置付けることと、
前記画像担持ベルト内の継ぎ目が前記ニップ位置を通過する間、ロール引き込み機構を用いて前記バイアス転写ロールと前記ニップ前ロールとを前記画像担持ベルトから離れる方向に移動させることと、を含み、
前記画像担持ベルトは前記ニップに入る前に前記第１のロールの周囲に凹形に巻き付いている、
方法。
（付記７）
前記画像担持ベルトが、光伝導性の画像担持ベルトである、付記６に記載の方法。
（付記８）
前記第１のロールが、前記画像担持ベルトの駆動ロールである、付記７に記載の方法。
（付記９）
前記ロール引き込み機構が、前記画像担持ベルトの回転により駆動されるカムであるとともに、前記画像担持ベルトの前記回転と同期する前記カムである、付記６に記載の方法。
（付記１０）
前記ロール引き込み機構が、前記バイアス転写ロールと前記ニップ前ロールとを前記画像担持ベルトから離れる方向に移動させる場合、前記ウェブ材料がデタックコロトロンと接触するのを防止するために、デタック・アイドラ・ロールにより前記ウェブ材料を支持することをさらに含む、付記６に記載の方法。